(57)【要約】【課題】時刻情報の表示形態を変えることにより、スケジュール或いは他の機能情報を知ることが出来るようにした表示装置及びそのプログラムを提供することを目的とする。【解決手段】時刻計数部８で計時される現在時刻情報を表示部１８でそれぞれ異なる複数種類の表示形態で表示できるようにすると共に、任意のスケジュール時刻を設定した時には、現在時刻情報をどのような表示形態で表示させるかも同時に設定する。表示部１８では、次のスケジュール情報を表示させることが可能で、このとき、次のスケジュールのスケジュール時刻の設定時に設定された表示形態で現在時刻情報を表示させることにより、次に来るスケジュールがどのようなスケジュールであるかが表示部１８を視認するだけで認識し得るものである。【選択図】      図１
2004205317.tif 000002
【特許請求の範囲】
【請求項１】
現在時刻情報を計時する計時手段と、この計時手段で計時される現在時刻情報をそれぞれ異なる複数種類の表示形態で表示可能な時刻表示手段と、任意の時刻情報を設定する時刻情報設定手段と、この時刻情報設定手段によって設定された時刻情報に対応させて前記時刻表示制御手段によって表示される表示態様の種類を設定する表示態様設定手段と、前記計時手段で計時される現在時刻情報が前記時刻情報設定手段で設定された時刻情報に至った際に前記現在時刻情報を前記表示態様設定手段で設定された表示態様で表示させる表示制御手段とを備えたことを特徴とする表示装置。
【請求項２】
更に、複数の画像情報を記憶する画像情報記憶手段と、この画像情報記憶手段に記憶された複数の画像情報のうちのいずれかの画像情報を前記時刻情報設定手段で設定された時刻情報に対応させて登録する画像情報登録手段と、前記表示制御手段によって前記現在時刻情報が前記設定された表示態様で表示された際に前記画像情報登録手段で登録された画像情報を同時に表示させる画像情報表示手段とを具備したことを特徴とする請求項１に記載の表示装置。
【請求項３】
更に、前記画像情報記憶手段に記憶される画像情報を外部から受信する画像情報受信手段を備えたことを特徴とする請求項２に記載の表示装置。
【請求項４】
外部から取得した外部情報を記憶する外部情報記憶手段と、この外部情報記憶手段に記憶された外部情報の内容それぞれに対応する複数の画像情報を記憶する画像情報記憶手段と、現在時刻情報を計時する計時手段と、この計時手段で計時される現在時刻情報を前記外部情報記憶手段に記憶された外部情報の内容に対応する前記画像記憶手段の画像情報と共に表示する時刻表示手段とを備えたことを特徴とする表示装置。
【請求項５】
前記外部情報記憶手段に記憶される外部情報は位置情報であり、前記画像情報記憶手段には前記位置情報に対応する位置画像情報が記憶されており、前記時刻表示手段は前記現在時刻情報と共に取得した位置情報に対応する位置画像情報を表示することを特徴とする請求項４に記載の表示装置。
【請求項６】
前記外部情報記憶手段に記憶される外部情報は気象情報であり、前記画像情報記憶手段には前記気象情報に対応する気象画像情報が記憶されており、前記時刻表示手段は前記現在時刻情報と共に取得した気象情報に対応する気象画像情報を表示することを特徴とする請求項４に記載の表示装置。
【請求項７】
前記外部情報記憶手段に記憶される外部情報は、通信ネットワークを介して受信した情報であることを特徴とする請求項４、５又は６に記載の表示装置。
【請求項８】
更に、前記画像情報記憶手段に記憶される画像情報を外部から取得する画像情報取得手段を備えたことを特徴とする請求項４、５又は６に記載の表示装置。
【請求項９】
コンピュータを、現在時刻情報を計時させる計時手段、この計時手段で計時される現在時刻情報をそれぞれ異なる複数種類の表示形態で表示させる時刻表示手段、任意の時刻情報を設定させる時刻情報設定手段、この時刻情報設定手段によって設定された時刻情報に対応させて前記時刻表示制御手段によって表示される表示態様の種類を設定させる表示態様設定手段、前記計時手段で計時される現在時刻情報が前記時刻情報設定手段で設定された時刻情報に至った際に前記現在時刻情報を前記表示態様設定手段で設定された表示態様で表示させる表示制御手段として機能させるためのプログラム。
【請求項１０】
コンピュータを、外部から取得した外部情報を記憶させる外部情報記憶手段、この外部情報記憶手段によって取得した外部情報の内容それぞれに対応する複数の画像情報を記憶させる画像情報記憶手段、現在時刻情報を計時させる計時手段、この計時手段で計時される現在時刻情報を前記外部情報記憶手段に記憶された外部情報の内容に対応する前記画像記憶手段の画像情報と共に表示させる時刻表示手段として機能させるためのプログラム。
【発明の詳細な説明】
【０００１】
【発明の属する技術分野】
本発明は、時刻情報を表示する表示装置及びそのプログラムに関する。
【０００２】
【従来の技術】
従来、電子時計においては、時刻を表示させるだけでなくアニメーションなども表示させるようにして装飾的要素を持たせるようにすることが行われている（例えば、特許文献１参照）。また、スケジュールなどの付加機能を備えたものにあっては、そのスケジュール時刻に至った際にスケジュール内容をアニメーションで表示させるようにすることも考えられている（例えば、特許文献２参照）。
【０００３】
【特許文献１】
特開昭５３−９３９３１号公報
【特許文献２】
実開昭６０−９０６９３号公報
【０００４】
【発明が解決しようとする課題】
しかしながら、これらの電子時計は、通常は時刻をデジタル表示或いはアナログ表示させるだけなので、時刻表示をみただけではどのようなスケジュールが設定されているのかを知ることが出来ず、或いは、時計に備えられている他の機能情報の内容などにつき知ることが出来なかった。
【０００５】
本発明は、上記の課題に鑑みてなされたもので、時刻情報の表示形態を変えることにより、スケジュール或いは他の機能情報を知ることが出来るようにした表示装置及びそのプログラムを提供することを目的とする。
【０００６】
【課題を解決するための手段】
上述した課題を解決するために、請求項１の発明による表示装置は、現在時刻情報を計時する計時手段と、この計時手段で計時される現在時刻情報をそれぞれ異なる複数種類の表示形態で表示可能な時刻表示手段と、任意の時刻情報を設定する時刻情報設定手段と、この時刻情報設定手段によって設定された時刻情報に対応させて前記時刻表示制御手段によって表示される表示態様の種類を設定する表示態様設定手段と、前記計時手段で計時される現在時刻情報が前記時刻情報設定手段で設定された時刻情報に至った際に前記現在時刻情報を前記表示態様設定手段で設定された表示態様で表示させる表示制御手段とを備えたことを特徴とする。このような構成とすることにより、現在時刻情報が予め設定された表示形態で表示されるため、どのようなスケジュールであるかが時刻情報を視認するだけで認識し得るものである。
【０００７】
また、請求項４に記載の表示装置は、外部から取得した外部情報を記憶する外部情報記憶手段と、この外部情報記憶手段に記憶された外部情報の内容それぞれに対応する複数の画像情報を記憶する画像情報記憶手段と、現在時刻情報を計時する計時手段と、この計時手段で計時される現在時刻情報を前記外部情報記憶手段に記憶された外部情報の内容に対応する前記画像記憶手段の画像情報と共に表示する時刻表示手段とを備えたことを特徴とする。このような構成とすることにより、取得した外部情報を時刻表示手段を視認するだけで認識し得るものである。
【０００８】
更に、請求項９に記載のプログラムは、コンピュータを、現在時刻情報を計時させる計時手段、この計時手段で計時される現在時刻情報をそれぞれ異なる複数種類の表示形態で表示させる時刻表示手段、任意の時刻情報を設定させる時刻情報設定手段、この時刻情報設定手段によって設定された時刻情報に対応させて前記時刻表示制御手段によって表示される表示態様の種類を設定させる表示態様設定手段、前記計時手段で計時される現在時刻情報が前記時刻情報設定手段で設定された時刻情報に至った際に前記現在時刻情報を前記表示態様設定手段で設定された表示態様で表示させる表示制御手段として機能させることを特徴とするもので、現在時刻情報を予め設定された表示形態で表示させ、どのようなスケジュールであるかが時刻情報を視認するだけで認識し得るものである。
【０００９】
更にまた、請求項１０のプログラムは、コンピュータを、外部から取得した外部情報を記憶させる外部情報記憶手段、この外部情報記憶手段によって取得した外部情報の内容それぞれに対応する複数の画像情報を記憶させる画像情報記憶手段、現在時刻情報を計時させる計時手段、この計時手段で計時される現在時刻情報を前記外部情報記憶手段に記憶された外部情報の内容に対応する前記画像記憶手段の画像情報と共に表示させる時刻表示手段として機能させるもので、取得した外部情報を時刻表示手段を視認するだけで認識し得るものである。
【００１０】
【発明の実施の形態】
以下、図面を参照して本発明の実施の形態を詳細に説明する。
【００１１】
図１は、本発明の実施の形態による電子機器、例えば携帯電話１の回路ブロック図である。図において、制御部（ＣＰＵ）２は、プログラムメモリ３に予め記憶されている各種処理プログラムに従って後述する各部の動作を制御するものであり、各部とはバスライン４を介して接続されている。
【００１２】
バスライン４に接続された媒体制御部５は、着脱可能な記憶媒体６への情報の書き込み及び記憶媒体６からの情報の読み出しを行い、入力部７は、ダイアル番号入力キー、文字入力キー、後述する各種の命令キー及びペン入力キー（いずれも図示せず）などを備え、情報の入力と各種命令の入力とを行うものである。時刻計時部８は、基準信号を計時して現在の日付時刻などの現在時刻情報を得るものであり、通信制御部９は、通信基地局１０を介して電話機能の音声の送受信を無線で行ったり、後述する天気予報データをネットワーク１１を介して天気予報送信サービス会社のサーバ１２から受信したりするものである。
【００１３】
位置センサ１３は、ＧＰＳ（グローバル・ポジショニング・システム）衛星１４からの情報を受信して、携帯電話１自体が存在する位置の位置情報（緯度・経度情報）を得るものであり、音声入力部１５はマイクを備えていて外部からの音声が入力され、音声出力部１６はスピーカを備えていて通話用の音声の出力や報知音の出力を行うものである。
【００１４】
記憶部１７は、詳細は後述するが、ＲＡＭ（ランダム・アクセス・メモリ）等から構成される記憶部とフラッシュメモリなどから構成される記憶部とから構成されている。即ち記憶部１７は、表示部１８に表示される表示情報を記憶する表示メモリ部１９と、詳細を後述する表示モード情報Ｍを記憶するモードメモリ部２０と、前記時刻計時部８で得られた現在時刻情報を複数の表示形態のうちのいずれの表示形態で表示するかの種類情報Ｎを記憶する種類情報メモリ部２１とが設けられている。前記モードメモリ部２０に記憶される表示モード情報Ｍは、Ｍの値が「０」の時が現在時刻情報のみを表示する通常時刻表示モードとされ、Ｍの値が「１」の時が後述するスケジュール画像情報を表示するスケジュール表示モードとされ、Ｍの値が「２」の時が気象情報（お天気情報）を表示するお天気表示モード、Ｍの値が「３」の時がストップウオッチ或いはタイマー情報を表示するストップウオッチ・タイマー（以下ＳＴ・Ｔと略称する）表示モードとされている。
【００１５】
また、種類情報メモリ部２１に記憶される種類情報Ｎは、前記通常時刻表示モードにおいて、Ｎの値が「０」の時には、図６（ａ）に画像Ｔ０で示すように、表示部１８に時刻計時部８で得られた日付時刻をデジタル表示させるものであり、Ｎの値が「１」の時には、図６（ｂ）に画像Ｔ１で示すように、日付時刻のうち時及び分のみをアナログ（指針）させるものである。また、Ｎの値が「２」の時には図６（ｃ）に画像Ｔ２で示すように矩形枠の中に時分秒を表示させ、Ｎの値が「３」の時には図６（ｄ）に画像Ｔ３示すように楕円枠の中に時分秒を表示させ、Ｎの値が「４」の時には図６（ｅ）に画像Ｔ４で示すように、時分秒及び次のスケジュール時刻を表示させ、更に、Ｎの値が「５」の時には図６（ｆ）に画像Ｔ５で示すように時及び分のみを変形したアナログ時刻表示体で表示させるものである。
【００１６】
図１に戻り、記憶部１７には、上述した表示メモリ部１９、モードメモリ部２０及び種類情報メモリ部２１以外に、スケジュール情報を記憶するスケジュール記憶メモリ部２２と、お天気情報メモリ部２３と、ＳＴ・Ｔメモリ部２４と、画像情報記憶メモリ部２５とが設けられている。
【００１７】
スケジュ−ル記憶メモリ部２１は、図２に詳細が示されているように、各行に一つのスケジュール情報が記憶されているもので、各スケジュールの日付時刻を記憶するスケジュール時刻記憶領域３０と、詳細は後述するが画像情報記憶メモリ部２５に記憶されている複数のスケジュール画像の中から選択したスケジュール画像が記憶されている領域のアドレス情報を記憶する画像アドレス記憶領域３１と、現在時刻を含むスケジュール画像をどのような表示形態で表示させるかの種類情報を記憶する種類情報記憶領域３２と、スケジュールの内容を記憶するスケジュール内容記憶領域３３とから構成されている。また、各スケジュールのうち現在時刻の次に来る次回スケジュールに対してのみ値「１」が記憶される次回フラッグ記憶領域Ｆも設けられている。
【００１８】
お天気情報メモリ部２３には、図１のネットワーク１１を介して送られてくるサービス会社のサーバ１２からの天気予報データが記憶されるもので、晴れ、曇り、雨、・・・等の天気予報データに対応してそれぞれ「０」、「１」、「２」、・・・のデータが記憶される。また、ＳＴ・Ｔメモリ部２４は、加算及び減算カウンタとして機能するもので、時間データが設定された後に動作の開始指令が与えられた場合には減算タイマーとして、時間データが設定されずに動作開始指令が与えられた場合にはストップウオッチとして機能するものである。
【００１９】
上述した各メモリ部１９乃至２４は、揮発性のＲＡＭＵで構成されているが画像情報記憶メモリ部２５は、不揮発性のフラッシュメモリで構成されているもので、画像情報記憶メモリ部２５には、図３に示すスケジュール画像記憶部３４と図４に示すお天気画像記憶部３５とが設けられている。スケジュール画像記憶部３４には、スケジュールの目的或いは用途別にそれぞれ複数の画像データが予め記憶されているもので、例えば、仕事関連の記憶領域３６には、仕事に関連する画像Ａ０、Ａ１、・・・が記憶されており、食事関連の記憶領域３７には食事に関する画像Ｂ０、Ｂ１、・・・が記憶され、趣味関連の記憶領域３８には趣味に関する画像Ｃ０、Ｃ１、・・・が記憶されている。仕事関連の画像Ａ０は、例えば図５（ａ）に示すように仕事の打ち合わせ風景の画像であったり、図示していないが人が働いている画像などである。また、食事関連の画像Ｂ０、Ｂ１は、料理やレストランなどの画像であり、趣味関連の画像Ｃ０、Ｃ１、・・・は、例えば、図５（ｂ）、（ｃ）、（ｄ）に示すように、サッカーや、スキー、犬など趣味をあらわす画像である。
【００２０】
図４のお天気画像記憶部３５には、それぞれ「晴れ」、「曇り」、「雨」、「雪」、・・・等の画像を予め記憶した記憶領域４０、４１、４２、４３、・・・が設けられている。
【００２１】
上記の如く構成された本実施の形態の動作を、図７のフローチャートを参照して説明する。まずステップＳ１では、入力部７からのキー入力の有無が判断される。入力部７には、前述した如くダイアル番号入力キー、文字入力キー、各種命令キー等が設けられ（これらは図示していないがケース本体に押釦スイッチとして設けられる。）、また、表示部１８を覆って透明タッチキーも設けられており、ステップＳ１では、いずれかのキーから入力が有ったか否かが判断される。
【００２２】
ステップＳ１でキー入力があった（Ｙｅｓ、以下Ｙと記してある。）と判断された場合はステップＳ２に進み、そのキー入力が命令キーのうちの一つであるモード切替キーの入力か否かが判断される。モード切替キーの入力であった場合には、ステップＳ３に進みモード切替処理が実行されるもので、この処理は、モードメモリ部２０に記憶されているモード情報Ｍの値を「＋１」させて一つ進めるものである。即ち、モード切替キーのキー入力がなされる毎に、モード情報Ｍの値は「０」、「１」、「２」、「３」、「０」、・・・と順次切り替えられるものである。
【００２３】
ステップＳ２で、モード切替キーの入力でない（Ｎ）と判断された場合には、ステップＳ４に進み設定キーの入力か否かが判断され、設定キーの入力の場合にはステップＳ５に進んで設定処理がなされる。上記ステップＳ４、Ｓ５では、説明を容易にするためそれぞれ一つのステップしか示していないが、実際の設定処理としては時刻計時部７で計時される現在時刻の設定、種類情報メモリ部２１に記憶される種類情報の設定、スケジュール記憶メモリ部２２に記憶されるスケジュール情報の設定、ＳＴ・Ｔメモリ部２４のタイマー時間の設定などがあり、上記ステップＳ４及びＳ５は、これらの設定キーの検出と設定処理とを含むものである。
【００２４】
ここでは、図８を参照してスケジュール情報の設定処理について説明する。まず、命令キーの一つであるスケジュール情報設定の開始キーが入力されると、表示部１８には、図８（ａ）に示すようにスケジュール設定モードの表示がなされ、スケジュール記憶メモリ部２２のスケジュール時刻記憶領域３０に記憶すべきスケジュール時刻と内容記憶領域３３に記憶すべきスケジュールの内容情報との設定モードになる。
【００２５】
この状態で文字入力キーを用いてスケジュールの日付時刻と内容とを設定すると図８（ｂ）の時刻画像の選択モードとなり、図６に示したそれぞれ表示態様の異なる時刻画像Ｔ０乃至Ｔ５が縮小されて表示され選択を促す文字が表示される。この状態で任意の時刻画像の上をタッチ入力して選択すると、選択された表示画像を示す情報がスケジュール記憶メモリ部２２の種類記憶領域３２に記憶される。尚、選択された表示画像を示す情報とは、スケジュール記憶メモリ部２２の種類情報メモリ部２１に記憶される種類情報Ｎと同様に「０」乃至「５」のうちのいずれかの情報である。
【００２６】
しかして時刻画像の選択が終わると図８（ｃ）のスケジュール画像の選択画面に切り替わる。このスケジュール画像の選択画面では、図３に示したスケジュール画像記憶部３４に記憶されている項目毎の画像Ａ０、Ａ１、・・・が項目と共に縮小表示される。ここで、この状態で任意の画像の上をタッチ入力して選択すると、選択された画像が記憶されているスケジュール画像記憶部３４のアドレス情報がスケジュール記憶メモリ部２２の画像記憶領域３１に記憶されてスケジュール情報の設定が終了する。
【００２７】
このスケジュール情報の設定終了時には、スケジュール情報記憶領域３０に記憶されている全てのスケジュール時刻情報と現在時刻情報との比較が行われ、現在時刻の次に来るスケジュール情報に対しては対応して設けられている次回フラッグに「１」が記憶される。
【００２８】
図７に戻り、ステップＳ４で設定キーの入力ではないことが検知されるとステップＳ６に進み上記モード切替及び各種設定以外のキー処理がなされる。ステップＳ１でキー入力がない時にはステップＳ７に進みスケジュール時刻の一致の有無が判断される。このスケジュール時刻の一致の有無判断は、時刻計時部８で計時されている現在の日付時刻が、次回フラッグＦに「１」が記憶されているスケジュールのスケジュール時刻記憶領域３０に記憶されているスケジュールの日付時刻と一致するか否かを判断するもので、一致した場合にはステップステップＳ８に進み、音声出力部１６から報知音を出力させると共にスケジュール時刻及び内容の表示を一定時間行わせる。そして、一致したスケジュールの次回フラッグＦの値をクリアすると共に、次のスケジュールの次回フラッグに「１」を設定するものである。
【００２９】
ステップＳ８で一定時間の表示が行われた後、或いはステップＳ７でスケジュール時刻の一致が検出されなかった時にはステップＳ９に進み無線受信の有無検出を行ない、受信があった場合には次のステップＳ１０で送受信処理を行う。この受信の有無検出及び送受信処理は、大きく分けて３つあり、一つは通信制御部９による携帯電話機能の処理であり、ステップＳ９で着信が検出された場合には次のステップＳ１０でオフフック処理及び通話の送受信処理を行う。また、もう一つは一定時間毎に位置センサ１３を動作させてＧＰＳ衛星からの情報の受信を検出し、情報が検出された際にはステップＳ１０で受信した情報に基づいて位置情報を算出し、算出された位置情報を通信基地局１０及びネットワーク１１を介してサーバ１２に送るものである。更に最後の一つは、通信基地局１０を介して送られてくる、サーバ１２からの送った位置情報の天気予報データを受信し、受信した天気予報データをお天気情報メモリ部２３に格納する処理である。
【００３０】
前記ステップＳ１０の受信処理が終了した後或いはステップＳ９で受信が検出されなかった場合には、ステップＳ１１に進みモード判別がなされる。このステップＳ１１のモード判別は、モードメモリ部２０に記憶されている表示モード情報Ｍの値を判別するもので、モード情報Ｍの値が「０」の時にはステップＳ１２に進み、Ｍの値が「１」、「２」及び「３」の時にはそれぞれステップＳ１３、Ｓ１４及びＳ１５に進む。
【００３１】
即ち、モード情報Ｍの値が「０」に設定された時はステップＳ２のモード切替キーの入力によって表示モードが通常時刻表示モードに設定されている場合であり、このときには次のステップＳ１２で、表示部１８に時刻計時部８で計時されている現在の時刻情報を、種類情報メモリ部２１に記憶されている種類情報Ｎに従った表示形態で表示させるものである。例えば、Ｎが「０」に設定されている場合には、現在時刻情報は、図６（ａ）に示すようにデジタル形式の画像Ｔ０で表示され、Ｎが「１」に表示されている場合には、時及び分のみが図６（ｂ）の画像Ｔ１に示すようにアナログ表示されるものである。
【００３２】
また、モード情報Ｍの値が「１」の時はステップＳ２のモード切替キーの入力によって表示モードがスケジュール表示モードに設定されている場合であり、このときには次のステップＳ１３で、現在時刻情報の表示画像とスケジュール画像との合成を行って表示部１８に表示させるものである。この合成は、次回フラッグＦが「１」に設定されている次回スケジュールの画像情報、即ち、次のスケジュール時刻に対応して設定記憶されている画像アドレス記憶領域３１の画像アドレスでアドレス指定されるスケジュール画像記憶部３４の画像情報と、種類情報記憶領域３２に設定記憶されている種類情報で指定される表示態様による現在時刻情報とを合成して表示するものである。
【００３３】
例えば、現在時刻が２００３年２月１５日のＡＭ１０時１２分３０秒であり、スケジュール時刻記憶メモリ部２２に図２に示すように次のスケジュール時刻として２００３年２月１５日のＡＭ３時００分、画像情報のアドレスとして図５（ｂ）の画像のアドレス△△、種類情報Ｎとして図６（ｅ）の画像Ｔ４を指定する「４」（矩形枠の中に現在時刻と次のスケジュール時刻を表示する表示形態）が記憶されていた場合、図９に示すように図５（ｂ）の画像と図６（ｅ）で示される表示形態の画像とが合成された画像が表示されるものである。
【００３４】
また、モード情報Ｍの値が「２」の時はステップＳ２のモード切替キーの入力によって表示モードがお天気表示モードに設定されている場合であり、このときには次のステップＳ１４で、現在時刻情報の表示画像と図４のお天気画像記憶部３５に記憶されているお天気画像との画像合成を行って表示部１８に表示させるものである。この場合、お天気情報メモリ部２３には、前記ステップＳ１０によってサーバ１２から送られてきた現在位置の天気予報情報が記憶されており、前記ステップＳ１４では、お天気情報メモリ２３に記憶された天気予報情報に該当するお天気画像をお天気画像記憶部３５から読み出して、時刻情報と合成して表示するものである。
【００３５】
図１０は、それぞれ異なったお天気画像による表示形態を示しており、同図Ａ、Ｂ及びＣはそれぞれ晴れ、雨、曇りの画像と現在時刻とが合成されて表示されている状態である。
【００３６】
更に、モード情報Ｍの値が「３」の時ＳＴ・Ｔ（ストップウオッチ・タイマー）モードであり、次のステップＳ１５で、経過時間或いは減算時間が表示される。
図１１は、ＳＴ・Ｔモードにおいて、表示部１８でストップウオッチの経過時間を表示している状態を示しており、上方に現在時刻１０時２７分３０秒が表示され、下方にストップウオッチの経過時間、例えばスタートしてから２分後の時間情報が光学的指針表示体５０によってアナログ表示されている。この場合、アナログ文字盤の表示は、表示内容に関連する部分のみが表示されるもので、即ち、スタートした時刻が１０時台なので「１０」と次の「１１」の時字、スタートした分台が２５分台なので「５」と「６」の時字のみが表示され、時間が経過して指針が「６」の時字超えると次の「７」の時字が表示されるようになっている。また、指針５１は時間の経過と共に移動するが、もう一つの指針５２はスタートした位置に停止した状態で表示される。
【００３７】
このように、上記の実施の形態では、スケジュールの設定時に表示部１８で表示される現在時刻の表示態様を任意に選択できるので、例えば、表示モードをスケジュール表示モードに設定しておけば、時刻表示をみることによって次のスケジュール内容を知ることが出来るものである。また、時刻の表示態様を外部から受信した情報、即ちお天気情報に従って表示させているため、時刻をみるだけでその情報を知ることが出来るものである。
【００３８】
尚、上記に実施の形態では、本発明を携帯電話に適用した例について述べたが、本発明は携帯電話に限定されるものではなく、ＰＤＡ（パーソナル・デジタル・アシスタンツ）、カメラ、パーソナルコンピュータなど時刻情報を表示する電子機器一般にも適用できるものである。
【００３９】
また、画像情報は、予め画像情報記憶メモリ２５に記憶されている例について述べたが、例えば記憶媒体６に画像情報を記憶させ、媒体制御部５で画像情報を読みとって画像情報記憶メモリ２５に記憶させてもよく、また、通信制御部９を介して外部から画像情報を受信してこれを画像情報記憶メモリ２５に記憶させても良いものである。
【００４０】
【発明の効果】
以上の如く、本発明によれば、スケジュールの時刻設定時に表示部で表示される現在時刻の表示態様を任意に選択できるので、時刻表示をみることによって次の設定時刻の内容を知ることが出来るものである。また、時刻の表示態様を外部から受信した情報に従って表示させているため、時刻をみるだけでその情報を知ることが出来るものである。
【図面の簡単な説明】
【図１】図１は、本発明に係わる携帯電話の回路構成図である。
【図２】図２は、図１に示したスケジュール記憶メモリ部２２の詳細な構成図である。
【図３】図３は、図１に示したスケジュール記憶メモリ部２２に設けられたスケジュール画像記憶部３４の詳細な構成図である。
【図４】図４は、同じく図１に示したスケジュール記憶メモリ部２２に設けられたお天気画像記憶部３５の詳細な構成図である。
【図５】図５は、スケジュール画像記憶部３４に記憶されている画像の内容を示す図である。
【図６】図６は、現在時刻の表示態様を示す図である。
【図７】図７は、動作を説明する為のフローチャート図である。
【図８】図８は、スケジュール設定を説明するための表示状態図である。
【図９】図９は、スケジュール表示モードにおける表示状態図である。
【図１０】図１０は、お天気表示モードにおける表示状態図である。
【図１１】図１１は、ストップウオッチ・タイマーモードにおける表示状態図である。
【符号の説明】
１  携帯電話
２  制御部
３  プログラムメモリ
７  入力部
８  時刻計数部
９  通信制御部
１０  通信基地局
１２  サーバ
１３  位置センサ
１４  ＧＰＳ衛星
１７  記憶部
１８  表示部
２０  モードメモリ部
２１  種類情報メモリ部
２２  スケジュール記憶目メモリ部
２５  画像記憶メモリ
【図１】
2004205317.tif 000003
【図２】
2004205317.tif 000004
【図３】
2004205317.tif 000005
【図４】
2004205317.tif 000006
【図５】
2004205317.tif 000007
【図６】
2004205317.tif 000008
【図７】
2004205317.tif 000009
【図８】
2004205317.tif 000010
【図９】
2004205317.tif 000011
【図１０】
2004205317.tif 000012
【図１１】
2004205317.tif 000013